(57)【特許請求の範囲】
【請求項１】
外枠内に、横流ファンと、前記横流ファンを回転させるモータと、前記横流ファンからの流れを導く風路面と、風向風速制御装置とを備え、前記外枠の上面に室内の空気を吸い込む吸込口と、前記吸込口にフィルターを設け、前記外枠の正面に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行い、前記風向風速制御装置は、回動自在とした枠体内に所定間隔で左右方向に複数枚仕切板を備え、前記仕切板は設置の角度が異なるものであって、前記風向風速制御装置の端側ほど、前記仕切板の設置間隔が前記仕切板によって生じる風の剥離による渦の影響を受けることない長いことを特徴とした送風装置。
【請求項２】
仕切板の配列が左右非対称であることを特徴とした請求項１に記載の送風装置。
【請求項３】
風向風速制御装置は、モータの設置スペースの分、本体の左側に寄った配置であり、前記モータ設置側へより風を広げるような、仕切板の配置・形状であることを特徴とした請求項１または２に記載の送風装置。
【請求項４】
仕切板の設置位置が、横流ファンの羽根が区切られている境目の位置に設置されることを特徴とした請求項１〜３のいずれかに記載の送風装置。
【請求項５】
風向風速制御装置の最端位置の仕切板の設置角度が、洗濯物が干される領域をカバーする角度であることを特徴とした請求項１〜４のいずれかに記載の送風装置。
【請求項６】
仕切板の設置間隔が、仕切板の隅々に容易に触れることができるように十分な間隔をもつことを特徴とした請求項１〜５のいずれかに記載の送風装置。
【発明の詳細な説明】
【技術分野】
【０００１】
本発明は、洗濯物等を乾燥させることができる送風装置に関する。
【背景技術】
【０００２】
従来、この種の送風装置は、複数の送風ファンと送風ファンからの送風を室内に吹き出すことのできる吹出口と室内の空気を吸込むことの出来る吸込口を備え、送風ファンには風速変更手段、吹出口には風向変更手段を備えた換気空調装置が知られている。（例えば、特許文献１参照）。このような送風装置では、洗濯物を乾燥させる場合、洗濯物に対して送風を行うことにより、より短時間で洗濯物が乾燥する。しかし洗濯物の量が増えると、広範囲に干された洗濯物に対して均等に風を当てる必要が有り、そのためには、送風装置寸法が大きくなってしまうという課題がある。
【０００３】
以下、従来の洗濯物乾燥システムについて図７を参照しながら説明する。
【０００４】
図７に示すように、複数の送風ファンと送風ファンからの送風を室内に吹き出すことのできる吹出口１０１と室内の空気を吸込むことの出来る吸込口１０２を備え、送風ファンには風速変更手段、吹出口１０１には風向変更手段１０３を備えた換気空調装置が知られている。以上により、洗濯物１０４の間に対し均一な送風を行うことで、洗濯物間の高湿度空気を速やかに排除し、高温低湿度の空気を供給することにより効率的に乾燥させることが出来る。
【先行技術文献】
【特許文献】
【０００５】
【特許文献１】特開２００８−６１７３３号公報
【発明の概要】
【発明が解決しようとする課題】
【０００６】
特許文献１に例示されるような従来の送風装置では、洗濯物を乾燥させようとした場合、干されている洗濯物の設置幅とほぼ同寸法の本体寸法が必要であり、本体寸法が大きくなるという課題がある。
【０００７】
本発明は、このような従来の課題を解決するものであり、本体寸法を大きくすることなく、かつ、幅の広い風を洗濯物に供給することで洗濯物乾燥できる送風装置を提供することを目的とする。
【課題を解決するための手段】
【０００８】
そして、この目的を達成するために、本発明は、外枠内に、横流ファンと、前記横流ファンを回転させるモータと、風向風速制御装置とを備え、前記外枠の上面に室内の空気を吸い込む吸込口と、前記外枠を設置する設置面に対し、前記吸込口にフィルターを設け、前記外枠の前面下部に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行う送風装置であって、前記風向風速制御装置は、回動自在とした枠体内の中央から所定間隔で左右方向に並ぶ複数枚の仕切板を備え、前記仕切板は設置の角度が異なることを特徴としたものであり、これにより所期の目的を達成するものである。
【発明の効果】
【０００９】
本発明によれば、仕切板は設置の角度が異なるという構成にしたことにより、仕切板は設置される位置によりそれぞれ最適な角度が異なるため、仕切板を最適な角度とし、他と異なる角度とすることで、仕切板による風の偏向により発生する剥離を極力抑え、かつ、風を広げることができるという効果を得ることができる。
【図面の簡単な説明】
【００１０】
【図１】本発明の実施の形態１の送風装置を示す図（（ａ）側断面図、（ｂ）内部斜視図）
【図２】同送風装置の風向風速制御装置の詳細図
【図３】同送風装置を示す図（（ａ）側断面図、（ｂ）内部平面図）
【図４】本発明の実施の形態２の送風装置の風向風速制御装置の詳細図
【図５】本発明の実施の形態１の送風装置の仕切板周辺の風速ベクトル図
【図６】本発明の実施の形態３の送風装置の風向風速制御装置の詳細図
【図７】従来の送風装置を示す断面図
【発明を実施するための形態】
【００１１】
本発明の送風装置は、外枠内に、横流ファンと、前記横流ファンを回転させるモータと、風向風速制御装置とを備え、前記外枠の上面に室内の空気を吸い込む吸込口と、吸込口にフィルターを設け、前記外枠の前面下部に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行う送風装置であって、前記風向風速制御装置は、回動自在とした枠体内の中央から、所定間隔で左右方向に並ぶ複数枚の仕切板を備え、前記仕切板は設置の角度が異なるという構成を有する。これにより、仕切板は設置される位置によりそれぞれ最適な角度が異なるため、仕切板を最適な角度とし、他と異なる角度とすることで、仕切板による風の偏向により発生する剥離を極力抑え、かつ、風を広げることができるという効果を奏する。
【００１２】
また、仕切板の設置角度が、風向風速制御装置の端側のものほど、風を広げるために大きな角度であるという構成にしてもよい。これにより、端側ほど風を広げる作用が大きくなるので、より風を広げることができるという効果を奏する。
【００１３】
また、仕切板が円弧形状であるという構成にしてもよい。これにより、円弧形状に沿って風が大きく曲がるので、より風を広げることができるという効果を奏する。
【００１４】
また、風向風速制御装置の端側のものほど、円弧のＲが小さいという構成にしてもよい。これにより、端側ほど風を広げる作用が大きくなるので、より風を広げることができるという効果を奏する。
【００１５】
また、風向風速制御装置の端側の仕切板ほど、仕切板の長さが短いという構成にしてもよい。これにより、仕切板によって生じる風の剥離による渦が、内側の仕切板によって曲がった風と接触しにくくなるので、剥離の影響を受けることなく、風を広げることができるという効果を奏する。
【００１６】
また、風向風速制御装置の端側ほど、仕切板の設置間隔が長いという構成にしてもよい。これにより、仕切板によって生じる風の剥離による渦が、内側の仕切板によって曲がった風と接触しにくくなるので、剥離の影響を受けることなく、風を広げることができるという効果を奏する。
【００１７】
また、仕切板の配列が左右非対称であるという構成にしてもよい。これにより、風の広がり方を左右異なるものとすることとなるので、送風装置の設置環境、洗濯物との位置関係等を考慮した適切な風の広がりとなるという効果を奏する。
【００１８】
また、風向風速制御装置は、モータの設置スペースの分、本体の左側に寄った配置であり、前記モータ設置側へより風を広げるような、仕切板の配置・形状であるという構成にしてもよい。これにより、モータ側へ風を大きく広げることで、本体正面に洗濯物が干されても、均等に風が当たることとなるので、正面に干すことで外観が良く、かつ、洗濯物も均等に乾燥させることができるという効果を奏する。
【００１９】
また、風向風速制御装置は、枠体として、前面板及び背面板を備え、前記前面板は外枠側に位置し、前記背面板は前記前面板の下流側の端よりも飛び出しているという構成にしてもよい。これにより、風向風速制御装置が回動する際、どの角度であっても、横流ファンからの流れを、背面板で偏向し、風向風速制御装置へ導くこととなるので、風を広げることができるという効果を奏する。
【００２０】
また、仕切板の設置位置が、横流ファンの羽根が区切られている境目の位置を基準に設置されるという構成にしてもよい。これにより、流れの速い位置を避けて置くことで、ファンに対する影響を極力押さえ、かつ、境目付近からの風を曲げることにより、それに沿って中央付近の流れも曲げることとなるので、風向風速制御装置による風量低下を極力押さえ、かつ、風を広げることができるという効果を奏する。
【００２１】
また、風向風速制御装置を固定する軸が備えられている軸固定板の設置角度が、風が広がる角度であるという構成にしてもよい。これにより、最端の仕切板に沿って風が流れ、風が広がることとなるので、洗濯物全体に風が当たるように風が広がり、洗濯物乾燥されるという効果を奏する。
【００２２】
また、仕切板の設置間隔が、仕切板の隅々に容易に手が触れることができるように十分な間隔をもつという構成にしてもよい。これにより、仕切板の隅々に容易に手を触れることができることとなるので、掃除が容易にでき、お手入れ性が良いという効果を奏する。
【００２３】
以下、本発明の実施の形態について、図面を参照しながら説明する。
【００２４】
（実施の形態１）
図１（ａ）は、本発明の送風装置１の側断面図、図１（ｂ）は内部斜視図を示している。
【００２５】
図において、外枠２内に、横流ファン３と、横流ファン３を回転させるモータ４と、風向風速制御装置５とを備えた送風装置１であって、外枠２の上面に室内の空気を吸い込む吸込口６と、外枠２の前面に室内の空気を吸い込んだ空気を吹き出す風向風速制御装置５を備えた吹出口７を設け、風向風速制御装置５により室内の洗濯物８に吸い込んだ空気を吹き当てる構成とする。また、吸込口６にフィルター１０を設け、外枠２内の吹出口７の付近に静電霧化装置１１を設ける構成とする。
【００２６】
また、風向風速制御装置５は回動自在とした枠体内の中央から所定間隔で左右方向に並ぶ複数枚の仕切板１４を備え、仕切板１４はそれぞれ設置角度が異なる。ここで、図２に風向風速制御装置５の詳細図を示す。図において、枠体は前面板１２、背面板１３で構成され、風向風速制御装置５の中心に近い中央側仕切板１４−１、端に近い端側仕切板１４−２、両者の間に位置する中間仕切板１４−３を、左右に３枚ずつの計６枚の仕切板１４を備えている。設置角度は中央側仕切板角度α、端側仕切板角度β、中間仕切板角度γであり、設置角度が異なっている。
【００２７】
また、左右３枚ずつ備えられた仕切板１４の内、端側仕切板１４−２と中央側仕切板１４−１の２枚、左右合計で４枚が円弧形状であり、中央側仕切板円弧寸法Ｒ１、端側仕切板円弧寸法Ｒ２において、Ｒ１＞Ｒ２となっており、風向風速制御装置５の端側のものほど円弧のＲが小さい構成となっている。
【００２８】
また、仕切板１４の配列において、例えば、中央側仕切板１４−１が、風向風速制御装置５の中心位置から右側にＤ１離れた位置と、左側にＤ２離れた位置に備えられており、Ｄ１≠Ｄ２となっており、左右非対称の配置となっている。
【００２９】
また、図１（ｂ）に示すように、風向風速制御装置は、モータの設置スペースの分、送風装置１の左側に寄った配置であり、モータ設置側へより風を広げるような仕切板１４の配置・形状となっている。
【００３０】
また、図３（ａ）に送風装置１の側断面図を示す。図は、風向風速制御装置５が最大に開いており、風路面１６と風向風速制御装置５の背面板１３との距離が最も近づいた状態である。前面板１２の下流側の端部よりも背面板１３の下流側の端部が飛び出しており、さらに、風向風速制御装置５が回動することにより、風路面１６と背面板１３の下流側端が最も近づいたとき、風路面と背面板１３の下流側端との距離が極力小さい構成となっている。
【００３１】
また、図３（ｂ）に横流ファン３との関係を示す。仕切板１４の設置位置が、横流ファン３の羽根が区切られているセルの境目の位置に設置されている構成となっている。
【００３２】
また、図２に示した、仕切板１４の設置間隔が、仕切板１４の隅々に容易に触れることが出来るように十分な間隔をもつ構成となっている。例えば設置間隔を２５ｍｍ以上とすることで、仕切板１４の隅々に容易に触れることが出来る。
【００３３】
上記構成により、モータ４で横流ファン３を回転させることにより、外枠２の背面の吸込口６からフィルター１０を通して室内の空気を吸い込み、吸い込んだ空気を外枠２の底面すなわち室内側に設けた風向風速制御装置５を備えた吹出口７から室内へ吹き出し、風向風速制御装置５により室内の洗濯物８に吸い込んだ空気を吹き当てる。このとき、洗濯物８表面の水分の剥離や、洗濯物８周辺の湿気を吹き飛ばす効果により、洗濯物８を乾燥させることができる。
【００３４】
このように本発明の実施の形態１の送風装置１によれば、風向風速制御装置５を風が通過する際、仕切板１４により風が広がるように偏向される。そして、横流ファン３から流れてくる風は、横流ファン３が複数のセルに区切られた構造となっていることから、位置によって風速・風向にある程度の違いが有るため、その上流側に設置することとなる仕切板１４の設置角度も、流れてくる風に対して最適な設置角度とすることで、より大きく風を偏向し、かつ、風の偏向によって発生する仕切板１４負圧側での剥離現象を抑制することができることとなる。
【００３５】
また、風向風速制御装置５により風を広げる際、端側の風をより大きく広げ、中心側ほど広げる角度を小さくすることで、均一に風を広げることが出来る。よって、端側の仕切板１４ほど円弧寸法を小さくすることで、均一に風を広げることが出来る。
【００３６】
また、仕切板１４の配列を左右異なるものとし、風の広がり方を左右異なるものとすることで、送風装置１の設置環境、洗濯物８との位置関係等を考慮した適切な風の広がりとなる。
【００３７】
また、風向風速制御装置５が本体左側へ寄っている分、右側へ風を大きく広げることで、送風装置１正面に洗濯物８が干されても、均等に風が当たり、正面に干すことで外観が良く、かつ、洗濯物８も均等に乾燥させることができる。
【００３８】
また、前面板１２の下流側端よりも背面板１３の下流側端が飛び出しており、さらに、風路面１６と背面板１３の下流側端が最も近づいたとき、風路面と背面板１３の下流側端との距離が極力小さいことから、風路面１６によって導かれた流れを、前面板１２によって遮られる事無く背面板１３によって偏向し、確実に風向風速制御装置５へ導くことができるため、風向風速制御装置５の回動角度に影響されず、風を広げることができる。
【００３９】
また、横流ファン３のセル１５単体からの風の流れは、セル１５中央部ほど風速が速く、端側（境目）ほど風速が遅くなっている。よって、仕切板１４をセル１５の端位置に置き、流れの速い位置を避けて置くことで、ファンに対する影響を極力押さえ、かつ、境目付近からの風を曲げることにより、それに沿って中央付近の流れも曲げることなり、風向風速制御装置５による風量低下を極力押さえ、かつ、風を広げることができる。
【００４０】
また、仕切板１４の隅々に容易に手を触れることができるため、掃除が容易にでき、お手入れ性が良い。
【００４１】
実施の形態１において、例えば、中央側仕切板角度α＝１３°、端側仕切板角度β＝２３°、中間仕切板角度γ＝３１°とすることで、より大きく風を偏向し、かつ、風の偏向によって発生する仕切板１４負圧側での剥離現象を抑制することができる送風装置１となる。
【００４２】
（実施の形態２）
図４において、図１および図２と同様の構成要素については同一の符号を付し、その詳細な説明は省略する。
【００４３】
図４は本発明の実施の形態２の風向風速制御装置５の詳細図を示し、各仕切板１４の設置角度の関係が、β＞γ＞αとなっており、端側の仕切板１４ほど、風を広げる作用を大きくするために設置角度が大きい構成となっている。
【００４４】
また、仕切板１４の長さがそれぞれ、中央側仕切板長さＬ１、端側仕切板長さＬ２、中間仕切板長さＬ３において、Ｌ１＞Ｌ３＞Ｌ２となっており、風向風速制御装置５の端側の仕切板１４ほど、仕切板１４の長さが短い構成となっている。
【００４５】
また、風向風速制御装置５の端側ほど、仕切板１４の設置間隔が長い構成となっている。
【００４６】
このように本発明の実施の形態２の送風装置１によれば、また、風向風速制御装置５により風を広げる際、端側の風をより大きく広げ、中心側ほど広げる角度を小さくすることで、均一に風を広げることが出来る。よって、端側の仕切板１４ほど設置角度を大きくすることで、均一に風を広げることが出来ることとなる。
【００４７】
また、図５に仕切板１４周辺の風速ベクトルを示す。図５（ａ）は本実施の形態における風速ベクトル、図５（ｂ）は、Ｌ３＝Ｌ２とした時の風速ベクトル図を示している。図に示すように、図５（ａ）では端側仕切板１４−２の長さが短い分だけ、発生する剥離渦の位置が下流側へ寄っており、一方図５（ｂ）では図５（ａ）と比べて剥離渦が中間仕切板１４−３によって曲げられた流れに近い位置にある。つまり、端側仕切板長さＬ２を短くすることにより、中間仕切板１４−３によって曲がった風と接触しにくくなるため、剥離の影響を受けることなく、風を広げることができる。
【００４８】
また、仕切板１４によって曲げられた流れが端側仕切板１４−２の負圧側に発生する剥離渦と干渉するが、仕切板１４の設置間隔を端側ほど長くすることにより、曲がった風と剥離渦が接触しにくくなるため、剥離の影響を受けることなく、風を広げることができる。
【００４９】
（実施の形態３）
図６において、図１および図２と同様の構成要素については同一の符号を付し、その詳細な説明は省略する。
【００５０】
図６は本発明の実施の形態３の風向風速制御装置５の詳細図を示し、風向風速制御装置５を固定する軸１７が備えられている軸固定板１８の設置角度が、風が広がる角度となっている。
【００５１】
このように本発明の実施の形態３の送風装置１によれば、風向風速制御装置５の最端部で軸固定板１８に沿って風が流れ、風が広がり、横に並べて干されている洗濯物８全体に風が当たるように風が広がり、洗濯物乾燥される。
【産業上の利用可能性】
【００５２】
本発明の送風装置１は、室内に吊るした大量の洗濯物等に対して乾燥時間を短縮し、乾燥むらを防止する効果を有することから、洗濯乾燥室や、サウナ、サンルーム等にも適用することができる。
【符号の説明】
【００５３】
１        送風装置
２        外枠
３        横流ファン
４        モータ
５        風向風速制御装置
６        吸込口
７        吹出口
８        洗濯物
９        設置面
１０      フィルター
１１      静電霧化装置
１２      前面板
１３      背面板
１４      仕切板
１４−１  中央側仕切板
１４−２  端側仕切板
１４−３  中間仕切板
１５      セル
１６      風路面
１７      軸
１８      軸固定板
α        中央側仕切板角度
β        端側仕切板角度
γ        中間仕切板角度
Ｒ１      中央側仕切板円弧寸法
Ｒ２      端側仕切板円弧寸法
Ｌ１      中央側仕切板長さ
Ｌ２      端側仕切板長さ
Ｌ３      中間仕切板長さ
Ｄ１      右側中央側仕切板位置
Ｄ２      左側中央側仕切板位置
γ１      １ステップ角度（上側）
γ２      １ステップ角度（下側）
【図１】
0005589405.tif 000002
【図２】
0005589405.tif 000003
【図３】
0005589405.tif 000004
【図４】
0005589405.tif 000005
【図５】
0005589405.tif 000006
【図６】
0005589405.tif 000007
【図７】
0005589405.tif 000008